(57)【特許請求の範囲】
【請求項１】
抽斗スライドレールキットであって、第一レール、第二レール、抽斗フレーム、及び、調整デバイスを有し、
前記第二レールは、前記第一レールの長手方向に相対移動可動に前記第一レールに取り付けられ、
前記抽斗フレームは、キャリア部材、及び、前記キャリア部材に連接する抽斗サイドウォールを有し、前記キャリア部材は、前記第二レールに取り付けられ、
前記調整デバイスは、前記抽斗サイドウォールに取り付けられる殻体、接触部を有する可動部材、及び、自身の回転軸上の点を中心とする中心角が１８０度以上のＣ字状の溝を有するカムを有し、前記接触部の少なくとも一部分は、前記溝に伸び入り、前記第二レールに対する前記抽斗フレームの位置を調整可能であり、
前記可動部材は位置制限溝を有し、前記位置制限溝の内側の水平方向の距離を幅Ｗ１、垂直方向の距離を高度Ｈ１とそれぞれ定義し、
前記カムは前記位置制限溝に位置する部分を有し、前記カムの前記部分の水平方向の大きさを幅Ｗ２、垂直方向の大きさを高度Ｈ２とそれぞれ定義すると、
前記幅Ｗ２は前記幅Ｗ１と相当であり、前記高度Ｈ２は前記高度Ｈ１よりも小さいことを特徴とする抽斗スライドレールキット。
【請求項２】
前記キャリア部材には、前記第二レールに対応する開口を設置し、
前記可動部材の一部分は前記開口を貫通し、前記第二レールに接触することを特徴とする請求項１に記載の抽斗スライドレールキット。
【請求項３】
前記カムの少なくとも一部分は、前記可動部材の前記接触部に接触し、前記カムを回すことで、前記可動部材は前記殻体に対して相対移動可能であることを特徴とする請求項１に記載の抽斗スライドレールキット。
【請求項４】
前記可動部材と前記殻体とは案内部を有し、
前記可動部材が前記殻体に対して移動すると、前記案内部の案内を受けることを特徴とする請求項３に記載の抽斗スライドレールキット。
【請求項５】
前記可動部材は、案内部を延伸し、
前記殻体には、案内溝を開設し、
前記案内部は、前記案内溝に対応して通過し、前記可動部材が前記殻体に対して移動すると、前記案内溝の案内を受けることを特徴とする請求項３に記載の抽斗スライドレールキット。
【請求項６】
前記殻体は、２個のサポート台を有し、
前記２個のサポート台のそれぞれは、枢孔を有し、
前記カムは、軸部を有し、前記２個のサポート台の枢孔に枢設され、前記カムの軸部は、係合溝を有し、対応するドライバーを前記係合溝に挿入し、前記カムを回すことができることを特徴とする請求項３に記載の抽斗スライドレールキット。
【請求項７】
前記抽斗サイドウォールは、前端部及び後端部を有し、
前記調整デバイスは、前記抽斗サイドウォールに対する後端部に取り付けられ、
前記抽斗サイドウォールは、２個の板体を有し、前記２個の板体間には、収容設置空間を形成し、
前記調整デバイスは、前記収容設置空間に位置することを特徴とする請求項１に記載の抽斗スライドレールキット。
【請求項８】
抽斗スライドレールキットは、第一レール、第二レール、抽斗フレーム、及び、調整デバイスを有し、
前記第二レールは、前記第一レールの長手方向に相対移動可動に前記第一レールに取り付けられ、
前記抽斗フレームは、キャリア部材、及び、前記キャリア部材に連接する抽斗サイドウォールを有し、前記キャリア部材は、前記第二レールに取り付けられ、
前記抽斗サイドウォールは、前端部及び後端部を有し、前記前端部は前板に連接し、前記後端部は後板に連接し、
前記調整デバイスは、前記抽斗サイドウォールに取り付けられる殻体、接触部を有する可動部材、及び、自身の回転軸上の点を中心とする中心角が１８０度以上のＣ字状の溝を有するカムを有し、前記接触部の少なくとも一部分は、前記溝に伸び入り、前記第二レールに対する前記抽斗フレームの位置を調整可能であり、
前記可動部材は位置制限溝を有し、前記位置制限溝の内側の水平方向の距離を幅Ｗ１、垂直方向の距離を高度Ｈ１とそれぞれ定義し、
前記カムは前記位置制限溝に位置する部分を有し、前記カムの前記部分の水平方向の大きさを幅Ｗ２、垂直方向の大きさを高度Ｈ２とそれぞれ定義すると、
前記幅Ｗ２は前記幅Ｗ１と相当であり、前記高度Ｈ２は前記高度Ｈ１よりも小さいことを特徴とする抽斗スライドレールキット。
【請求項９】
家具に用いる調整デバイスは、殻体、可動部材、及び、カムを有し、
前記殻体は、２個のサポート台を有し、前記２個のサポート台のそれぞれは、枢孔を有し、
前記可動部材は、前記殻体に対して相対移動可能に前記殻体に取り付けられ、前記可動部材は、接触部を有し、
前記カムは、軸部、及び、前記カムの回転軸上の点を中心とする中心角が１８０度以上のＣ字状の溝を有し、前記２個のサポート台の枢孔に枢設され、前記接触部の少なくとも一部分は、前記溝に伸び入り、前記カムを回すことで、前記可動部材は前記殻体に対して相対移動可能であり、
前記可動部材は位置制限溝を有し、前記位置制限溝の内側の水平方向の距離を幅Ｗ１、垂直方向の距離を高度Ｈ１とそれぞれ定義し、
前記カムは前記位置制限溝に位置する部分を有し、前記カムの前記部分の水平方向の大きさを幅Ｗ２、垂直方向の大きさを高度Ｈ２とそれぞれ定義すると、
前記幅Ｗ２は前記幅Ｗ１と相当であり、前記高度Ｈ２は前記高度Ｈ１よりも小さいことを特徴とする抽斗スライドレールキット。
【発明の詳細な説明】
【技術分野】
【０００１】
本発明は抽斗スライドレールキットに関し、特に調整デバイスを有し、抽斗フレームをスライドレールアセンブリに取り付ける上下位置を便利に調整できる抽斗スライドレールキットに関する。  
【背景技術】
【０００２】
多くの抽斗或いは棚板は、組み立て、製造において、個別製造、組み立て公差により全体対応の美観に悪影響を及ぼしている。このため、調整デバイスにより抽斗或いは棚板の上下位置を微調整する必要がある。
【０００３】
Ｆｅｕｅｒｓｔｅｉｎが取得した特許文献１は、抽斗の高度調整デバイスに関する構造を開示する。
上述の特許文献１において、抽斗枠フレーム構成部材（ｄｒａｗｅｒ  ｆｒａｍｅ  ｍｅｍｂｅｒ）１のリアウォールホルダー（ｒｅａｒ  ｗａｌｌ  ｈｏｌｄｅｒ）１０は、調整デバイス（ａｄｊｕｓｔｉｎｇ  ｄｅｖｉｃｅ）２を有する。
【０００４】
調整デバイスは、抽斗枠フレーム内側に対応し、制動部材（ａｃｔｕａｔｉｎｇ  ｅｌｅｍｅｎｔ）４を設置し、これにより使用者は抽斗枠フレーム内側において、制動部材を回し、抽斗或いは棚板の上下位置を調整することができる。
しかし、リアウォールホルダーと調整デバイスはモジュール化された構成部材であるため、必要に応じて個別に使用或いは取り換えることはできない。
【先行技術文献】
【特許文献】
【０００５】
【特許文献１】米国特許第９０３９１０８号明細書
【特許文献２】米国特許第７２２６１３９号明細書
【特許文献３】米国特許第５４３９２８３号明細書
【特許文献４】米国特許第５６６４８５５号明細書
【発明の概要】
【発明が解決しようとする課題】
【０００６】
前記先行技術には、リアウォールホルダーと調整デバイスとは、モジュール化された構成部材であるため、必要に応じて個別に使用或いは取り換えることができない欠点がある。
【課題を解決するための手段】
【０００７】
本発明の目的は、抽斗フレームのスライドレールアセンブリに対する上下位置を便利に調整できる抽斗スライドレールキットを提供することにある。
【０００８】
本発明による抽斗スライドレールキットは、第一レール、第二レール、抽斗フレーム、及び、調整デバイスを有する。
該第二レールは、該第一レールの長手方向に相対移動可動に該第一レールに取り付けられている。
該抽斗フレームは、キャリア部材、及び該キャリア部材に連接する抽斗サイドウォールを有する。
該キャリア部材は、第二レールに取り付けられる。
該抽斗サイドウォールは、前端部及び後端部を有し、該前端部は前板に連接し、該後端部は後板に連接する。
該調整デバイスは、抽斗サイドウォールに取り付けられる殻体、接触部を有する可動部材、及び、中心角が１８０度以上のＣ字状の溝を有するカムを有し、接触部の少なくとも一部分は、溝に伸び入り、該第二レールに対する該抽斗フレームを昇降し上下位置を調整する。
【０００９】
本発明による家具に用いる調整パーツは、殻体、可動部材、及び、カムを有する。
該殻体は、２個のサポート台を有し、該２個のサポート台はともに、枢孔を有する。
該可動部材は、該殻体に対して相対移動可能であり、該可動部材は、接触部を有する。
該カムは、軸部、及び、中心角が１８０度以上のＣ字状の溝を有し、該２個のサポート台の枢孔に枢設され、前記接触部の少なくとも一部分は、溝に伸び入り、該カムを回すことで、該可動部材は該殻体に対して可動するように移動する。
【００１０】
好ましくは、該キャリア部材には、該第二レールに対応する開口を設置する。
該可動部材の一部分は該開口を貫通し、該第二レールに接触する。
該カムを回すことで、該可動部材は該殻体に対して可動するように移動する。
【００１１】
好ましくは、
前記可動部材は位置制限溝を有し、前記位置制限溝の内側の水平方向の距離を幅Ｗ１、垂直方向の距離を高度Ｈ１とそれぞれ定義し、
前記カムは前記位置制限溝に位置する部分を有し、前記カムの前記部分の水平方向の大きさを幅Ｗ２、垂直方向の大きさを高度Ｈ２とそれぞれ定義すると、
前記幅Ｗ２は前記幅Ｗ１と相当であり、前記高度Ｈ２は前記高度Ｈ１よりも小さい。
これにより、位置制限溝は、接触部がＣ形槽から脱落するのを防止することができ、製品の安定性及び耐久性を向上させることができる。
【００１２】
好ましくは、該可動部材と該殻体とは案内部を有する。これにより、該可動部材は該案内部の案内を受け、該殻体に対して可動するように移動する。
【００１３】
好ましくは、該可動部材は、案内部を延伸し、該殻体には、案内溝を開設し、これにより該可動部材の案内部は該案内溝に位置する。
【００１４】
好ましくは、該カムの軸部は、係合溝を有し、対応するドライバーを該係合溝に挿入し、該カムを回すことができる。
【００１５】
好ましくは、該抽斗サイドウォールは、２個の板体を有する。
該２個の板体間には、収容設置空間を形成し、該調整デバイスは、該収容設置空間に位置する。
【００１６】
本発明の実施形態を応用する特徴の一つは、抽斗スライドレールキットは調整デバイスを有し、抽斗フレームをスライドレールアセンブリに取り付ける上下位置を便利に調整できる。
【図面の簡単な説明】
【００１７】
【図１】本発明の一実施形態による抽斗が一対のスライドレールアセンブリによりキャビネットに取り付けられる様子を示す模式図である。
【図２】本発明の一実施形態による抽斗スライドレールアセンブリの模式図である。
【図３】本発明の一実施形態による調整デバイスを抽斗フレームに取り付ける分解模式図一である。
【図４】本発明の一実施形態による調整デバイスを抽斗フレームに取り付ける分解模式図二である。
【図５】本発明の一実施形態による調整デバイスの分解模式図である。
【図５Ａ】本発明の一実施形態によるカムの平面模式図である。
【図６】本発明の一実施形態による調整デバイスの平面模式図である。
【図７】図６の断面模式図である。
【図８】本発明の一実施形態による調整デバイスのカムが一定の角度回転した後の平面模式図である。
【図９】図８の断面模式図である。
【図１０】本発明の一実施形態による抽斗がキャビネットに対して傾斜角度αを隔てる側視模式図である。
【図１１】本発明の一実施形態による抽斗がキャビネットに対して傾斜角度βを隔てる側視模式図である。
【図１２】本発明の一実施形態において調整デバイスを通して抽斗をキャビネットに対して平坦に調整する側視模式図である。
【発明を実施するための形態】
【００１８】
（一実施形態）
図１に示す通り、一実施形態による抽斗１０は、一対のスライドレールアセンブリ１２により、キャビネット１４に取り付けられる。これにより、抽斗１０は、スムーズにキャビネット１４より引き出され、或いはキャビネット１４内に押し入れられて収納される。
【００１９】
抽斗１０は、一対の抽斗フレーム（ｄｒａｗｅｒ  ｆｒａｍｅ）１６を有する。
各抽斗フレーム１６は、抽斗サイドウォール１８を有する。
抽斗サイドウォール１８は、前端部２０及び後端部２２を有する。
一対の抽斗フレーム１６の抽斗サイドウォール１８の前端部２０は、共同で前板２４に連接する。
一対の抽斗フレーム１６の抽斗サイドウォール１８の後端部２２は、共同で後板２６に連接する。
一対の抽斗サイドウォール１８、前板２４及び後板２６は、抽斗底板２７に連接し、抽斗１０を構成する。
【００２０】
図２に示す通り、スライドレールアセンブリ１２は、第一レール２８、第二レール３０をさらに有し、第二レール３０は、第一レール２８の長手方向に相対移動可動に第一レールに取り付けられる。
最も好ましくは、第三レール３２をさらに有し、第一レール２８と第二レール３０との間に、可動するように連接する。これにより、第二レール３０は、第三レール３２により、第一レール２８に対して、より長い行程を引き出すことができる。
さらに、抽斗フレーム１６は、キャリア部材３４をさらに有し、抽斗サイドウォール１８に連接し、キャリア部材３４により、第二レール３０上に取り付けられる。
【００２１】
図３に示す通り、抽斗サイドウォール１８は、２個の板体３６ａ、３６ｂを有する。
２個の板体３６ａ、３６ｂの間には、収容設置空間３８を形成する。
スライドレールアセンブリ１２は、抽斗サイドウォール１８の収容設置空間３８に位置する調整デバイス４０をさらに有する。
調整デバイス４０は、抽斗サイドウォール１８の後端部２２に隣接する。
【００２２】
図４に示す通り、キャリア部材３４は、底板４２、及び実質的に底板４２に垂直に連接する側板４４を有する。
底板４２は、螺合接続、嵌合接続等の結合方式により、第二レール３０に取り付けられる。
底板４２には、第二レール３０に対応する開口４６を設置する。
調整デバイス４０は、殻体４８、及び殻体４８に対して相対移動可能な可動部材５０を有する。
殻体４８は、リベット接続、螺合接続等の結合方式により、キャリア部材３４の側板４４に結合され、可動部材５０は、開口４６に対応する。
【００２３】
図５及び図５Ａに示す通り、調整デバイス４０の殻体４８には、枢孔５２を設置する。
調整デバイス４０は、殻体４８に対応して取り付けられるカム５４をさらに有する。
カム５４の軸部５６は、殻体４８に枢設する枢孔５２に対応し、カム５４は可動部材５０に対応する。
【００２４】
詳しくは、カム５４は、Ｃ形溝５８を有し、偏心の方式で、軸部５６に対して形成される。
可動部材５０には、接触部６０を有し、接触部６０の少なくとも一部分は、Ｃ形溝５８に取り付けられる。
【００２５】
具体的には、殻体４８は、第一サポート台６２ａ及び第２個のサポート台６２ｂを有す  る。
第一サポート台６２ａには、収容設置溝６４を陥没状に設置し、これにカム５４を入れる。
第２個のサポート台６２ｂと第一サポート台６２ａとの間には、可動空間６６、及び可動空間６６に連通する通口６８を形成する。
可動部材５０は、可動空間６６に位置し、通口６８に対応する。
【００２６】
好ましくは、可動部材５０には、位置制限溝７０を有する。
カム５４には、部分７２を有し、位置制限溝７０に対応する。
【００２７】
好ましくは、第２個のサポート台６２ｂには、一対の案内溝７６を開設する。
可動部材５０には、一対の案内部７８を有する。
一対の案内部７８は、第２個のサポート台６２ｂの案内溝７６に対応して貫通し、これにより可動部材５０が殻体４８に対応して移動する時、案内溝７６の案内を受けることができる。
【００２８】
図示のない別種の一実施形態では、以下のようにできるが、これに制限されない。
一対の案内部は、第２個のサポート台に設置され、一対の案内溝は、可動部材に設置される。
或いは可動部材及び第２個のサポート台はともに、案内部及び案内溝を有する。
可動部材及び第２個のサポート台の案内部及び案内溝は、相互に対応する。
その主要な目的は、可動部材に案内を受けさせ移動させることである。
【００２９】
図６及び図７に示す通り、可動部材５０の位置制限溝７０の両側の距離を、幅Ｗ１と定義し、及び位置制限溝７０内両端との間の距離を、高度Ｈ１と定義する。
カム５４の部分７２は、位置制限溝７０に位置する。
カム５４の部分７２は、幅Ｗ２及び高度Ｈ２を有する。
幅Ｗ２はおおよそ幅Ｗ１と相当であるが、高度Ｈ２は高度Ｈ１より小さい。
【００３０】
図８及び図９に示す通り、カム５４にある角度の回転を加えると、可動部材５０は、カム５４の推移により、可動部材５０を連動し、殻体４８に対して上昇或いは下降を行う。これにより、可動部材５０は殻体４８に対して、位置制限溝７０に沿ってまっすぐ可動するように移動する。
【００３１】
最も好ましくは、カム５４の軸部５６は、係合溝などの工具部６１を有する。
対応するドライバーを係合溝に挿入することで、カム５４を回し移動させることができる。
【００３２】
図１０及び図１１に示す通り、抽斗１０のキャビネット１４に対する間の組み立て公差が大き過ぎ、例えば抽斗１０がキャビネット１４に対して傾斜角度α或いはβを有する時には、操作者は、工具によってカム５４の軸部５６を回すことができる。これにより、可動部材５０は殻体４８に対して、スライドレールアセンブリ１２の第二レール３０に接触し、まっすぐに可動するように移動する。
さらに、殻体４８により、抽斗フレーム１６を連動し、抽斗１０がキャビネット１４に対して生じる角度差を修正する。
図１２に示す通り、これにより、抽斗１０の前板２４は、キャビネット１４に正しく対応する。
【００３３】
特に、このような設計において、数個の抽斗１０がキャビネット１４内に上下に配列される時、各抽斗１０が相互に隔てる間隔が均一でなく、或いは角度が合っていない時には、便利に微調整し正すことができる。
【００３４】
前述した本発明の実施形態は本発明を限定するものではなく、よって、本発明により保護される範囲は後述される特許請求の範囲を基準とする。
【符号の説明】
【００３５】
１０  抽斗、
１２  スライドレールアセンブリ、
１４  キャビネット、
１６  抽斗フレーム、
１８  抽斗サイドウォール、
２０  前端部、
２２  後端部、
２４  前板、
２６  後板、
２７  抽斗底板、
２８  第一レール、
３０  第二レール、
３２  第三レール、
３４  キャリア部材、
３６ａ、３６ｂ  板体、
３８  収容設置空間、
４０  調整デバイス、
４２  底板、
４４  側板、
４６  開口、
４８  殼体、
５０  可動部材、
５２  枢孔、
５４  カム、
５６  軸部、
５８  Ｃ形溝、
６０  接触部、
６１  工具部、
６２ａ  第一サポート台、
６２ｂ  第２個のサポート台、
６４  収容設置溝、
６６  可動空間、
６８  通口、
７０  位置制限溝、
７２  部分、
７６  案内溝、
７８  案内部、
Ｗ１、Ｗ２  幅、
Ｈ１、Ｈ２  高度、
α、β  傾斜角度。
【図１】
0006469614.tif 000002
【図２】
0006469614.tif 000003
【図３】
0006469614.tif 000004
【図４】
0006469614.tif 000005
【図５】
0006469614.tif 000006
【図５Ａ】
0006469614.tif 000007
【図６】
0006469614.tif 000008
【図７】
0006469614.tif 000009
【図８】
0006469614.tif 000010
【図９】
0006469614.tif 000011
【図１０】
0006469614.tif 000012
【図１１】
0006469614.tif 000013
【図１２】
0006469614.tif 000014